(57)【特許請求の範囲】
【請求項１】
集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、マイク部及びスピーカ部と、マイク部で集音されたアナログの通話信号をデジタルの通話信号に変換して信号処理演算部に入力する第１のＡ／Ｄ変換手段と、信号処理演算部から出力されるデジタルの通話信号をアナログの通話信号に変換してスピーカ部に出力する第１のＤ／Ａ変換手段と、信号処理演算部から出力されるデジタルの音声信号をアナログの音声信号に変換してスピーカ部に出力する第２のＤ／Ａ変換手段と、信号処理演算部から出力されるデジタルの通話信号をアナログの通話信号に変換してロビーインターホン又はドアホンに出力する第３のＤ／Ａ変換手段と、ロビーインターホン又はドアホンからのアナログの通話信号をデジタルの通話信号に変換して信号処理演算部に入力する第２のＡ／Ｄ変換手段と、第２のＤ／Ａ変換手段でアナログに変換された音声信号を住戸内の異なる場所に設置される増設スピーカ部に対して一定の音量で出力する増設スピーカ接続手段と、第１のＤ／Ａ変換手段から出力されるアナログの通話信号と第２のＤ／Ａ変換手段から出力されるアナログの音声信号を多重化してスピーカ部に出力するアナログ信号多重手段と、第２のＤ／Ａ変換手段からアナログ信号多重手段に出力されるアナログの音声信号を複数段階に設定される所定音量となるように減衰させる音声信号減衰手段とを備え、増設スピーカ接続手段は、第２のＤ／Ａ変換手段から出力されるアナログの音声信号を音声信号減衰手段を介さずに増設スピーカ部に出力することを特徴とする住宅情報盤。
【請求項２】
音声信号減衰手段における減衰量を信号処理演算部で調整することを特徴とする請求項１記載の住宅情報盤。
【請求項３】
音声信号減衰手段における減衰量を主制御部で調整することを特徴とする請求項１記載の住宅情報盤。
【請求項４】
集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、マイク部及びスピーカ部と、マイク部で集音されたアナログの通話信号をデジタルの通話信号に変換して信号処理演算部に入力する第１のＡ／Ｄ変換手段と、信号処理演算部から出力されるデジタルの通話信号をアナログの通話信号に変換してスピーカ部に出力する第１のＤ／Ａ変換手段と、信号処理演算部から出力されるデジタルの音声信号をアナログの音声信号に変換してスピーカ部に出力する第２のＤ／Ａ変換手段と、信号処理演算部から出力されるデジタルの通話信号をアナログの通話信号に変換してロビーインターホン又はドアホンに出力する第３のＤ／Ａ変換手段と、ロビーインターホン又はドアホンからのアナログの通話信号をデジタルの通話信号に変換して信号処理演算部に入力する第２のＡ／Ｄ変換手段と、第２のＤ／Ａ変換手段でアナログに変換された音声信号を住戸内の異なる場所に設置される増設スピーカ部に対して一定の音量で出力する増設スピーカ接続手段と、第１のＤ／Ａ変換手段から出力されるアナログの通話信号と第２のＤ／Ａ変換手段から出力されるアナログの音声信号を多重化してスピーカ部に出力するアナログ信号多重手段とを備え、増設スピーカ接続手段は、第２のＤ／Ａ変換手段から出力されるアナログの音声信号を音量補正して増設スピーカ部に出力する音量補正部を有し、信号処理演算部は、デジタルの通話信号並びに呼出音や警報音あるいは音声メッセージからなるデジタルの音声信号をそれぞれの信号の種類に応じた所定の音量で出力するとともに音量補正部における補正量を制御する出力制御部を具備することを特徴とする住宅情報盤。
【請求項５】
集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、マイク部及びスピーカ部と、マイク部で集音されたアナログの通話信号をデジタルの通話信号に変換して信号処理演算部に入力する第１のＡ／Ｄ変換手段と、信号処理演算部から出力されるデジタルの通話信号をアナログの通話信号に変換してスピーカ部に出力する第１のＤ／Ａ変換手段と、信号処理演算部から出力されるデジタルの音声信号をアナログの音声信号に変換してスピーカ部に出力する第２のＤ／Ａ変換手段と、信号処理演算部から出力されるデジタルの通話信号をアナログの通話信号に変換してロビーインターホン又はドアホンに出力する第３のＤ／Ａ変換手段と、ロビーインターホン又はドアホンからのアナログの通話信号をデジタルの通話信号に変換して信号処理演算部に入力する第２のＡ／Ｄ変換手段と、第２のＤ／Ａ変換手段でアナログに変換された音声信号を住戸内の異なる場所に設置される増設スピーカ部に対して一定の音量で出力する増設スピーカ接続手段と、第１のＤ／Ａ変換手段から出力されるアナログの通話信号と第２のＤ／Ａ変換手段から出力されるアナログの音声信号を多重化してスピーカ部に出力するアナログ信号多重手段とを備え、増設スピーカ接続手段は、第２のＤ／Ａ変換手段から出力されるアナログの音声信号を音量補正して増設スピーカ部に出力する音量補正部を有し、信号処理演算部は、デジタルの通話信号並びに呼出音や警報音あるいは音声メッセージからなるデジタルの音声信号をそれぞれの信号の種類に応じた所定の音量で出力する出力制御部を具備し、音量補正部における補正量を主制御部で制御することを特徴とする住宅情報盤。
【請求項６】
集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、マイク部及びスピーカ部と、マイク部で集音されたアナログの通話信号をデジタルの通話信号に変換して信号処理演算部に入力する第１のＡ／Ｄ変換手段と、信号処理演算部から出力されるデジタルの通話信号をアナログの通話信号に変換してスピーカ部に出力する第１のＤ／Ａ変換手段と、信号処理演算部から出力されるデジタルの音声信号をアナログの音声信号に変換してスピーカ部に出力する第２のＤ／Ａ変換手段と、信号処理演算部から出力されるデジタルの通話信号をアナログの通話信号に変換してロビーインターホン又はドアホンに出力する第３のＤ／Ａ変換手段と、ロビーインターホン又はドアホンからのアナログの通話信号をデジタルの通話信号に変換して信号処理演算部に入力する第２のＡ／Ｄ変換手段と、第２のＤ／Ａ変換手段でアナログに変換された音声信号を住戸内の異なる場所に設置される増設スピーカ部に対して一定の音量で出力する増設スピーカ接続手段とを備え、主制御部は、セキュリティセンサの出力検知並びにロビーインターホン又はドアホンからの呼出が無いときに信号処理演算部、第１乃至第３のＤ／Ａ変換手段並びに第１及び第２のＡ／Ｄ変換手段をスタンバイ状態又は電源オフ状態とし、セキュリティセンサの出力を検知したとき又はロビーインターホンあるいはドアホンからの呼出があったときに信号処理演算部、第１乃至第３のＤ／Ａ変換手段並びに第１及び第２のＡ／Ｄ変換手段をスタンバイ状態又は電源オフ状態から通常の動作状態へ移行させることを特徴とする住宅情報盤。
【発明の詳細な説明】
【０００１】
【発明の属する技術分野】
本発明は、住宅情報盤に関するものである。
【０００２】
【従来の技術】
近年、マンション等の集合住宅には、共同玄関に設置されるロビーインターホン並びに各住戸の玄関戸外に設置されるドアホンと、各住戸内に設置される住宅情報盤との間で通話を行う住宅情報盤システムが設置されるようになっている。図９は従来の住宅情報盤システムの一例を概略的に示すシステム構成図である。
【０００３】
この住宅情報盤システムは、共同玄関に設置されるロビーインターホン１０２と、管理人室等に設けられる警報監視盤１０３と、各住戸に設置される住宅情報盤１００…と、各住戸の玄関戸外に設置されるドアホン１０１…とを備える。ロビーインターホン１０２と警報監視盤１０３との間、ロビーインターホン１０２と住宅情報盤１００…の各々との間は信号線を介して接続されており、ロビーインターホン１０２、警報監視盤１０３、ロビーインターホン１０２及び住宅情報盤１００……の各々との間で信号の伝送が可能となっている。
【０００４】
また、各住戸の玄関戸外に設けられる各ドアホン１０１…は、対応する住戸内の各住宅情報盤１００…と信号線を介して接続されている。ロビーインターホン１０２は、テンキー等の外部入力手段１０２ａや、マイク１０２ｂや、スピーカ１０２ｃや、呼出ボタン１０２ｄ等を備える。
【０００５】
そして、来訪者が、ロビーインターホン１０２に設けられた外部入力手段１０２ａから、訪問先の住戸の住戸番号を入力し、呼出釦１０２ｄを押操作すると、入力された住戸番号の住戸内に設置されている住宅情報盤１００…から呼出音が発せられ、当該住戸の在宅者が呼出音に応答して住宅情報盤１００…の応答釦を押操作した場合には、ロビーインターホン１０２のマイク１０２ｂやスピーカ１０２ｃと、住宅情報盤１００…が具備するマイクやスピーカとにより、来訪者と在宅者とが通話できるようになっている。
【０００６】
また、警報監視盤１０３は、テンキー等の外部入力手段１０３ａや、ハンドセット１０３ｂや、警報発令手段（図示せず）や、各住戸に設けられた火災感知器等の各種セキュリティセンサ（図示せず）の状態を監視する監視手段（図示せず）等を備える。そして、管理人等が警報監視盤１０３に設けられた外部入力手段１０３ａから、何れかの住宅番号を入力すると、この住戸番号の住戸内に設置された住宅情報盤１００…から呼出音が発せられ、当該住戸の在宅者が呼出音に応答して住宅情報盤１００…の応答釦を押操作した場合には、警報監視盤１０３のハンドセット１０３ｂと、住宅情報盤１００…が具備するマイクやスピーカとにより、管理人等と在宅者とが通話できるようになっている。
【０００７】
また、各住宅情報盤１００…は、マイク並びにスピーカ、警報釦等を備えている。そして、各住宅情報盤１００…に設けられたテンキー等の外部入力手段（図示せず）から、例えば、警報監視盤１０３の住戸番号を入力すると、警報監視盤１０３から呼出音が発せられ、管理人等が呼出音に応答して警報監視盤１０３のハンドセット１０３ｂを取った場合には、住宅情報盤１００…のマイクならびにスピーカと、警報監視盤１０３のハンドセット１０３ｂとにより、在宅者と管理人等とが通話できるようになっている。
【０００８】
また、ドアホン１０１は、呼出釦１０１ａや、マイク１０１ｂや、スピーカ１０１ｃ等を備える。そして、来訪者が、ドアホン１０１の呼出釦１０１ａを押操作した場合には、その住戸内の住宅情報盤１００…から呼出音が発せられ、在宅者が呼出音に応答して住宅情報盤１００…の応答釦を押操作した場合には、ドアホン１０１のマイク１０１ｂならびにスピーカ１０１ｃと、住宅情報盤１００…のマイク並びにスピーカとにより、来訪者と在宅者とが通話できるようになっている。
【０００９】
ところで、住宅情報盤１００では住戸内に設けられた１乃至複数の火災感知器の発報を監視しており、何れかの火災感知器の発報を検出したときには、警報音や予め記憶している音声メッセージ（警報メッセージ）を出力するなどして最初に住戸内の在宅者に火災感知器が作動したことを報知した後、信号線を介して警報監視盤１０３に対して火災感知器が作動したことを示す信号（火災感知器作動信号）を出力する。
【００１０】
また、住宅情報盤１００は、火災感知器作動信号を出力した後、在宅者が所定の火災確定操作を行ったとき、あるいは火災感知器作動信号を出力した後、所定時間内に在宅者が所定の復旧操作を行わなかったときには、警報監視盤１０３に信号線を介して火災確定信号を出力する。この場合、火災の発生した住戸では、予めそれぞれの住宅情報盤１００に記憶させた音声メッセージを出力して警報が行われる。
【００１１】
一方、警報監視盤１０３は、いずれかの住戸から信号線を介して火災感知器作動信号を受信したときには、火災感知器作動信号に付加されたアドレスを識別して当該信号を出力した住戸を特定し、火災感知器作動信号を出力した住宅情報盤１００が設置された住戸番号を表示部に表示し、予告警報を同時に出力することによって管理人等にその旨を知らせる。
【００１２】
また、住宅情報盤１００が更に火災確定信号を出力すると、警報監視盤１０３では信号線を通じてこの火災確定信号を受信するので、火災確定信号を出力した住宅情報盤１００の設置された近隣住戸の住宅情報盤１００を指定して、信号線を通じて警報制御信号を出力し、近隣住戸（火災確定信号を出力した住宅情報盤１００が設置された住戸と同一階、あるいは、直上階の住戸）に設置された住宅情報盤１００からは、例えば、「火事です。火事です。火災が発生しました。安全を確認の上避難して下さい。」といった、音声メッセージを住宅情報盤１００のスピーカを通じて出力させることができる。
【００１３】
【発明が解決しようとする課題】
ところで、住戸内において住宅情報盤から離れた場所にいる住人に呼出音や警報音あるいは音声メッセージを聞かせるために、住宅情報盤に増設スピーカ部を外付けする場合がある。この場合、住宅情報盤のスピーカから聞こえる呼出音等の音量と増設スピーカ部から聞こえる呼出音等の音量とが常に同じであると、住宅情報盤のスピーカの音量を下げたときに増設スピーカ部の音量も同じように下がるため、増設スピーカ部から発する音が聞こえる範囲が狭くなってしまうという問題が生じる。
【００１４】
本発明は上記問題に鑑みて為されたものであり、その目的は、増設スピーカ部から聞こえる呼出音等の音量が常に一定となる住宅情報盤を提供することにある。
【００１５】
【課題を解決するための手段】
請求項１の発明は、上記目的を達成するために、集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、マイク部及びスピーカ部と、マイク部で集音されたアナログの通話信号をデジタルの通話信号に変換して信号処理演算部に入力する第１のＡ／Ｄ変換手段と、信号処理演算部から出力されるデジタルの通話信号をアナログの通話信号に変換してスピーカ部に出力する第１のＤ／Ａ変換手段と、信号処理演算部から出力されるデジタルの音声信号をアナログの音声信号に変換してスピーカ部に出力する第２のＤ／Ａ変換手段と、信号処理演算部から出力されるデジタルの通話信号をアナログの通話信号に変換してロビーインターホン又はドアホンに出力する第３のＤ／Ａ変換手段と、ロビーインターホン又はドアホンからのアナログの通話信号をデジタルの通話信号に変換して信号処理演算部に入力する第２のＡ／Ｄ変換手段と、第２のＤ／Ａ変換手段でアナログに変換された音声信号を住戸内の異なる場所に設置される増設スピーカ部に対して一定の音量で出力する増設スピーカ接続手段と、第１のＤ／Ａ変換手段から出力されるアナログの通話信号と第２のＤ／Ａ変換手段から出力されるアナログの音声信号を多重化してスピーカ部に出力するアナログ信号多重手段と、第２のＤ／Ａ変換手段からアナログ信号多重手段に出力されるアナログの音声信号を複数段階に設定される所定音量となるように減衰させる音声信号減衰手段とを備え、増設スピーカ接続手段は、第２のＤ／Ａ変換手段から出力されるアナログの音声信号を音声信号減衰手段を介さずに増設スピーカ部に出力することを特徴とし、呼出音や警報音などの音声信号は増設スピーカ接続手段により一定の音量で増設スピーカ部に出力されるため、増設スピーカ部から聞こえる呼出音等の音量が常に一定となる。しかも、住宅情報盤のスピーカ部から聞こえる呼出音等の音量が音声信号減衰手段によって複数段階に調整できるとともに、スピーカ部の音量を下げた場合でも増設スピーカ部からは常に一定の音量で呼出音等が聞こえる。
【００１７】
請求項２の発明は、請求項１の発明において、音声信号減衰手段における減衰量を信号処理演算部で調整することを特徴とし、スピーカ部から聞こえる呼出音等の音量の調整を信号処理演算部で行うことにより、呼出音等がスピーカ部から聞こえるタイミングと音量調整のタイミングを一致させることができる。
【００１８】
請求項３の発明は、請求項１の発明において、音声信号減衰手段における減衰量を主制御部で調整することを特徴とし、スピーカ部から聞こえる呼出音等の音量の調整を主制御部で行うことにより、信号処理演算部を介して音量の調整を行う場合に比較して、主制御部と信号処理演算部の間のデータ伝送に不具合が生じたときでも確実に音量を調整することができる。
【００１９】
請求項４の発明は、上記目的を達成するために、集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、マイク部及びスピーカ部と、マイク部で集音されたアナログの通話信号をデジタルの通話信号に変換して信号処理演算部に入力する第１のＡ／Ｄ変換手段と、信号処理演算部から出力されるデジタルの通話信号をアナログの通話信号に変換してスピーカ部に出力する第１のＤ／Ａ変換手段と、信号処理演算部から出力されるデジタルの音声信号をアナログの音声信号に変換してスピーカ部に出力する第２のＤ／Ａ変換手段と、信号処理演算部から出力されるデジタルの通話信号をアナログの通話信号に変換してロビーインターホン又はドアホンに出力する第３のＤ／Ａ変換手段と、ロビーインターホン又はドアホンからのアナログの通話信号をデジタルの通話信号に変換して信号処理演算部に入力する第２のＡ／Ｄ変換手段と、第２のＤ／Ａ変換手段でアナログに変換された音声信号を住戸内の異なる場所に設置される増設スピーカ部に対して一定の音量で出力する増設スピーカ接続手段と、第１のＤ／Ａ変換手段から出力されるアナログの通話信号と第２のＤ／Ａ変換手段から出力されるアナログの音声信号を多重化してスピーカ部に出力するアナログ信号多重手段とを備え、増設スピーカ接続手段は、第２のＤ／Ａ変換手段から出力されるアナログの音声信号を音量補正して増設スピーカ部に出力する音量補正部を有し、信号処理演算部は、デジタルの通話信号並びに呼出音や警報音あるいは音声メッセージからなるデジタルの音声信号をそれぞれの信号の種類に応じた所定の音量で出力するとともに音量補正部における補正量を制御する出力制御部を具備することを特徴とし、呼出音や警報音などの音声信号は増設スピーカ接続手段により一定の音量で増設スピーカ部に出力されるため、増設スピーカ部から聞こえる呼出音等の音量が常に一定となる。また、住宅情報盤のスピーカ部から聞こえる呼出音等の音量が出力制御部によって所定の音量に調整できるとともに、音量補正部の補正量を調整することで増設スピーカ部からは常に一定の音量で呼出音等が聞こえる。また、音量補正部の補正量を信号処理演算部が具備する出力制御部で制御すれば、呼出音等がスピーカ部から聞こえるタイミングと音量調整のタイミングを一致させることができる。
【００２０】
請求項５の発明は、上記目的を達成するために、集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、マイク部及びスピーカ部と、マイク部で集音されたアナログの通話信号をデジタルの通話信号に変換して信号処理演算部に入力する第１のＡ／Ｄ変換手段と、信号処理演算部から出力されるデジタルの通話信号をアナログの通話信号に変換してスピーカ部に出力する第１のＤ／Ａ変換手段と、信号処理演算部から出力されるデジタルの音声信号をアナログの音声信号に変換してスピーカ部に出力する第２のＤ／Ａ変換手段と、信号処理演算部から出力されるデジタルの通話信号をアナログの通話信号に変換してロビーインターホン又はドアホンに出力する第３のＤ／Ａ変換手段と、ロビーインターホン又はドアホンからのアナログの通話信号をデジタルの通話信号に変換して信号処理演算部に入力する第２のＡ／Ｄ変換手段と、第２のＤ／Ａ変換手段でアナログに変換された音声信号を住戸内の異なる場所に設置される増設スピーカ部に対して一定の音量で出力する増設スピーカ接続手段と、第１のＤ／Ａ変換手段から出力されるアナログの通話信号と第２のＤ／Ａ変換手段から出力されるアナログの音声信号を多重化してスピーカ部に出力するアナログ信号多重手段とを備え、増設スピーカ接続手段は、第２のＤ／Ａ変換手段から出力されるアナログの音声信号を音量補正して増設スピーカ部に出力する音量補正部を有し、信号処理演算部は、デジタルの通話信号並びに呼出音や警報音あるいは音声メッセージからなるデジタルの音声信号をそれぞれの信号の種類に応じた所定の音量で出力する出力制御部を具備し、音量補正部における補正量を主制御部で制御することを特徴とし、呼出音や警報音などの音声信号は増設スピーカ接続手段により一定の音量で増設スピーカ部に出力されるため、増設スピーカ部から聞こえる呼出音等の音量が常に一定となる。また、住宅情報盤のスピーカ部から聞こえる呼出音等の音量は出力制御部によって所定の音量に調整でき、音量補正部の補正量を主制御部で調整することによって増設スピーカ部からは常に一定の音量で呼出音等が聞こえる。また、音量補正部の補正量を主制御部で制御すれば、信号処理演算部を介して音量補正を行う場合に比較して、主制御部と信号処理演算部の間のデータ伝送に不具合が生じたときでも確実に音量を補正することができる。
【００２１】
請求項６の発明は、上記目的を達成するために、集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、マイク部及びスピーカ部と、マイク部で集音されたアナログの通話信号をデジタルの通話信号に変換して信号処理演算部に入力する第１のＡ／Ｄ変換手段と、信号処理演算部から出力されるデジタルの通話信号をアナログの通話信号に変換してスピーカ部に出力する第１のＤ／Ａ変換手段と、信号処理演算部から出力されるデジタルの音声信号をアナログの音声信号に変換してスピーカ部に出力する第２のＤ／Ａ変換手段と、信号処理演算部から出力されるデジタルの通話信号をアナログの通話信号に変換してロビーインターホン又はドアホンに出力する第３のＤ／Ａ変換手段と、ロビーインターホン又はドアホンからのアナログの通話信号をデジタルの通話信号に変換して信号処理演算部に入力する第２のＡ／Ｄ変換手段と、第２のＤ／Ａ変換手段でアナログに変換された音声信号を住戸内の異なる場所に設置される増設スピーカ部に対して一定の音量で出力する増設スピーカ接続手段とを備え、主制御部は、セキュリティセンサの出力検知並びにロビーインターホン又はドアホンからの呼出が無いときに信号処理演算部、第１乃至第３のＤ／Ａ変換手段並びに第１及び第２のＡ／Ｄ変換手段をスタンバイ状態又は電源オフ状態とし、セキュリティセンサの出力を検知したとき又はロビーインターホンあるいはドアホンからの呼出があったときに信号処理演算部、第１乃至第３のＤ／Ａ変換手段並びに第１及び第２のＡ／Ｄ変換手段をスタンバイ状態又は電源オフ状態から通常の動作状態へ移行させることを特徴とし、呼出音や警報音などの音声信号は増設スピーカ接続手段により一定の音量で増設スピーカ部に出力されるため、増設スピーカ部から聞こえる呼出音等の音量が常に一定となる。また、セキュリティセンサの出力検知並びにロビーインターホン又はドアホンからの呼出が無いときに信号処理演算部、第１乃至第３のＤ／Ａ変換手段並びに第１及び第２のＡ／Ｄ変換手段をスタンバイ状態又は電源オフ状態とすることで消費電流の低減が図れる。
【００２２】
【発明の実施の形態】
（実施形態１）
図１は本実施形態の住宅情報盤における要部の構成を示したブロック図である。本実施形態の住宅情報盤は、通話信号及び音声信号の入出力処理を行う入出力ブロックＢと、ＣＰＵを主構成要素とする主制御部１と、デジタル・シグナル・プロセッサ（ＤＳＰ）で構成される信号処理演算部１０と、信号処理演算部１０で取り扱う各種のデータを格納する不揮発性のメモリ部３０とを備える。但し、従来例で説明した火災感知器等のセキュリティセンサを監視する手段、呼出信号や火災信号などの制御信号を信号線を介して伝送する伝送手段等については本発明の要旨ではなく、且つその構成は従来周知であるから図示並びに説明を省略する。
【００２３】
入出力ブロックＢは、マイク部４０及びスピーカ部４１と、マイク部４０で集音されたアナログの通話信号をデジタルの通話信号に変換する第１のＡ／Ｄ変換手段たる第１Ａ／Ｄ変換部４２と、信号処理演算部１０から出力されるデジタルの通話信号をアナログの通話信号に変換してスピーカ部４１に出力する第１のＤ／Ａ変換手段たる第１Ｄ／Ａ変換部４３と、信号処理演算部１０から出力されるデジタルの音声信号（呼出音，警報音，音声メッセージ等の信号を指す。以下同じ）をアナログ信号に変換してスピーカ部４１に出力する第２のＤ／Ａ変換手段たる第２Ｄ／Ａ変換部４４と、信号処理演算部１０から出力されるデジタルの通話信号をアナログの通話信号に変換する第３のＤ／Ａ変換手段たる第３Ｄ／Ａ変換部４５と、信号処理演算部１０から出力されるデジタルの音声信号をアナログの音声信号に変換する第４のＤ／Ａ変換手段たる第４Ｄ／Ａ変換部４６と、ロビーインターホン、ドアホン又は警報監視盤からのアナログの通話信号をデジタルの通話信号に変換する第２のＡ／Ｄ変換手段たる第２Ａ／Ｄ変換部４７とを有する。ここで、例えば第１Ｄ／Ａ変換部４３及び第１Ａ／Ｄ変換部４２と第２Ａ／Ｄ変換部４７及び第３Ｄ／Ａ変換部４５とを１チップのＣＯＤＥＣ回路で実現し、第２及び第４Ｄ／Ａ変換部４４，４６を１チップの１６ビットＤ／Ａ変換回路で実現することも可能である。
【００２４】
また、入出力ブロックＢは、第１Ａ／Ｄ変換部４２から出力されるデジタルの通話信号と第２Ａ／Ｄ変換部４７から出力されるデジタルの通話信号を多重（時分割多重）化し、その多重化データＴＡを信号処理演算部１０に出力するデジタル信号多重部４８と、信号処理演算部１０から出力される多重化データＴＢを通話信号と音声信号に分割して第１及び第３Ｄ／Ａ変換部４３，４５に通話信号を出力するとともに第２及び第４Ｄ／Ａ変換部４４，４６に音声信号を出力するデジタル信号分割部４９と、第１Ｄ／Ａ変換部４３から出力されるアナログの通話信号と第２Ｄ／Ａ変換部４４から出力されるアナログの音声信号を多重化してスピーカ部４１に出力するアナログ信号多重部５０と、第２Ｄ／Ａ変換部４４からアナログ信号多重部５０に出力されるアナログの音声信号を複数段階に設定される所定音量となるように減衰させる音声信号減衰手段たる音声信号減衰部５４と、２線−４線変換を行う２線４線変換部５１と、２線４線変換部５１を介して第３Ｄ／Ａ変換部４５から出力されたアナログの通話信号又は第２Ｄ／Ａ変換部４４から出力されたアナログの音声信号と第４Ｄ／Ａ変換部４６から出力されたアナログの音声信号を多重化するアナログ信号多重部５２と、アナログ信号多重部５２から出力される多重化されたアナログ信号を信号線（図示せず）に送出してロビーインターホン，ドアホン又は警報監視盤に伝送するとともに信号線を介してロビーインターホン，ドアホン又は警報監視盤から伝送されたアナログ信号を取り込む外部インタフェース（Ｉ／Ｆ）部５３とを有する。なお、外部Ｉ／Ｆ部５３で取り込まれたアナログ信号（アナログの通話信号）はアナログ信号多重部５２をスルーし、２線４線変換部５１を経て第２Ａ／Ｄ変換部４７においてデジタルの通話信号に変換される。
【００２５】
ここで、デジタル信号多重部４８では、図２に示すようにクロック回路（図示せず）から出力する基準タイミング信号Ｔｒ（例えば、周期１２５μsec、オンデューティ比５０％の方形パルス信号）の立ち上がりに同期し且つオン幅の２分の１の期間（以下、「第１データ期間」と呼ぶ）ＤＴ１に第１Ａ／Ｄ変換部４２から出力されるデジタルの通話信号（住宅情報盤からロビーインターホン等の通話相手機器に送る送話信号）Ｘ１を信号処理演算部１０に出力し、基準タイミング信号Ｔｒの立ち下がりに同期し且つオフ幅の２分の１の期間（以下、「第３データ期間」と呼ぶ）ＤＴ３に第２Ａ／Ｄ変換部４７から出力されるデジタルの通話信号（通話相手機器から送られてきた受話信号）Ｙ１を信号処理演算部１０に出力する。すなわち、多重化データＴＡは図２（ｂ）に示すように基準タイミング信号Ｔｒの立ち上がり及び立ち下がりに同期した第１及び第３データ期間ＤＴ１，ＤＴ３にそれぞれデジタルの通話信号Ｘ１，Ｙ１が配置される。
【００２６】
一方、信号処理演算部１０は、ＤＳＰのハードウェアを専用のソフトウェアで制御することによって通話制御部１１、入力制御部１２、出力制御部１３、呼出音生成部１４、警報音生成部１５、音声メッセージ伸長部１６、メロディ音伸長部１７、タイマ制御部１８、動作制御部１９などの各部機能を実現している。通話制御部１１は、エコーキャンセラや音声スイッチなどの機能を有し、入力制御部１２で分割された通話信号（送話信号）Ｘ１と通話信号（受話信号）Ｙ１に各種のデジタル処理（通話処理）を施して出力制御部１３に出力し、マイク部４０及びスピーカ部４１を使ってロビーインターホン、ドアホン又は警報監視盤との間で拡声通話を可能とするものである。但し、このような機能を有する通話制御部１１は従来周知であり、また本発明の要旨ではないので詳細な説明は省略する。
【００２７】
呼出音生成部１４は予め用意された複数の呼出音の中から適宜選択して生成したデジタルの呼出音を出力制御部１３に出力する。なお、呼出音生成部１４で生成可能な呼出音はメロディを有しない比較的に単純な音の組み合わせからなる。同じく、警報音生成部１５は予め用意された複数の警報音の中から適宜選択して生成したデジタルの警報音を出力制御部１３に出力する。なお、警報音生成部１５で生成可能な警報音も呼出音と同様にメロディを有しない比較的に単純な音の組み合わせからなる。
【００２８】
音声メッセージ伸長部１６は、メモリ部３０に圧縮して格納された複数の音声メッセージデータの中から適宜選択して読み出した音声メッセージデータを伸長して出力制御部１３に出力する。同じく、メロディ音伸長部１７はメモリ部３０に圧縮して格納された複数のメロディ音データの中から適宜選択して読み出したメロディ音データを伸長して出力制御部１３に出力する。なお、メロディ音伸長部１７で伸長されたメロディ音データは呼出音として使用される。
【００２９】
出力制御部１３は、通話中においては通話制御部１１で通話処理が施された通話信号（送話信号Ｘ２及び受話信号Ｙ２）に呼出音（メロディ音も含む）や警報音あるいは音声メッセージ等の音声信号Ｚ１，Ｚ２を多重化して出力する。すなわち、出力制御部１３では、図２に示すように基準タイミング信号Ｔｒの立ち上がりに同期し且つオン幅の２分の１の第１データ期間ＤＴ１に通話相手機器に伝送する音声信号（呼出音（リングバックトーン）や警報音あるいは音声メッセージ等）Ｚ１をデジタル信号分割部４９に出力し、第１データ期間ＤＴ１の終了時点から基準タイミング信号Ｔｒの立ち下がりまでの期間（以下、「第２データ期間」と呼ぶ）ＤＴ２に通話制御部１１から出力された送話信号Ｘ２をデジタル信号分割部４９に出力し、第２データ期間ＤＴ２に続く第３データ期間ＤＴ３にスピーカ部４１から出力される音声信号（呼出音や警報音あるいは音声メッセージ等）Ｚ２をデジタル信号分割部４９に出力し、さらに第３データ期間ＤＴ３の終了時点から基準タイミング信号Ｔｒの立ち上がりまでの期間（以下、「第４データ期間」と呼ぶ）ＤＴ４に通話制御部１１から出力された受話信号Ｙ２をデジタル信号分割部４９に出力する。一方、デジタル信号分割部４９は基準タイミング信号Ｔｒに同期して、第１データ期間ＤＴ１に入力された音声信号Ｚ１を第４Ｄ／Ａ変換部４６に出力し、第２データ期間ＤＴ２に入力された送話信号Ｘ２を第３Ｄ／Ａ変換部４５に出力し、第３データ期間ＤＴ３に入力された音声信号Ｚ２を第２Ｄ／Ａ変換部４４に出力し、さらに第４データ期間ＤＴ４に入力された受話信号Ｙ２を第１Ｄ／Ａ変換部４３に出力する（図１参照）。なお、通話中以外では第１〜第４データ期間ＤＴ１〜ＤＴ４にそれぞれ任意の音声信号を出力制御部１３からデジタル信号分割部４９に出力し得るものである。
【００３０】
タイマ制御部１８は、基準タイミング信号Ｔｒをカウントすることで後述する通話切断時間等の種々の時間をカウントするものである。ここで、信号処理演算部１０を構成するＤＳＰでは基準タイミング信号Ｔｒに同期して内部で発生させた割込信号に基づいて各種の処理を実行しており、基準タイミング信号Ｔｒの同期ずれが通話音声の品質に大きく影響することから同期ずれが殆ど生じないクロック回路を用いて基準タイミング信号Ｔｒを生成している。よって、同期ずれが殆ど生じない基準タイミング信号Ｔｒをカウントするタイマ制御部１８では正確な時間のカウントが可能である。
【００３１】
ＤＳＰ動作制御部１９は、主制御部１との間のデータ伝送機能を有し、独自にあるいは主制御部１から伝送されるコマンドデータに応じて他の各部を制御するものであって、例えば、呼出音生成部１４が生成する呼出音の選択や警報音生成部１５が生成する警報音の選択、音声メッセージ伸長部１６で伸長する音声メッセージデータの選択やメロディ音伸長部１７で伸長するメロディ音データの選択等を決定して指示する。一例として、主制御部１が火災感知器の発報を検出して火災警報を発生させるためのコマンドデータを伝送した場合、ＤＳＰ動作制御部１９は当該コマンドデータに従って警報音生成部１５に生成させた火災警報用の警報音や音声メッセージ伸長部１６に伸長させた火災警報用の音声メッセージをスピーカ部４１及び増設スピーカ部７０（必要に応じて外部Ｉ／Ｆ部５３を介してロビーインターホンやドアホンのスピーカ）から出力させるように各部を制御する。
【００３２】
次に、通話信号及び音声信号の伝送経路に着目して本実施形態の基本動作を説明する。
【００３３】
まず、住宅情報盤のマイク部４０から出力される送話信号は、第１Ａ／Ｄ変換部４２でデジタルの送話信号Ｘ１に変換され、デジタル信号多重部４８にて通話相手機器（ロビーインターホンやドアホン）からの受話信号Ｙ１と多重化されて信号処理演算部１０の入力制御部１２に入力され、さらに通話制御部１１で通話処理された後に出力制御部１３からデジタル信号分割部４９に出力され、第３Ｄ／Ａ変換部４５でアナログの送話信号に変換されて２線４線変換部５１、アナログ信号多重部５２を経て外部Ｉ／Ｆ部５３から信号線に送出されて通話相手機器のスピーカから出力される。
【００３４】
反対に、通話相手機器から信号線を介して伝送されて外部Ｉ／Ｆ部５３にて取り込まれた受話信号は、アナログ信号多重部５２並びに２線４線変換部５１を経て第２Ａ／Ｄ変換部４７でデジタルの受話信号Ｙ１に変換され、デジタル信号多重部４８にてマイク部４１からの送話信号Ｘ１と多重化されて信号処理演算部１０の入力制御部１２に入力され、さらに通話制御部１１で通話処理された後に出力制御部１３からデジタル信号分割部４９に出力され、第１Ｄ／Ａ変換部４３でアナログの受話信号に変換されてアナログ信号多重部５０を経てスピーカ部４１から出力される。
【００３５】
また、信号処理演算部１０で生成される呼出音，警報音並びに音声メッセージ等の音声信号の内でスピーカ部４１から出力されるべき音声信号Ｚ２は、出力制御部１３からデジタル信号分割部４９に出力され、第２Ｄ／Ａ変換部４４でアナログの音声信号に変換された後、アナログ信号多重部５０を経てスピーカ部４１から出力される。
【００３６】
同じく、信号処理演算部１０で生成される呼出音，警報音並びに音声メッセージ等の音声信号の内で通話相手機器のスピーカから出力されるべき音声信号Ｚ１は、出力制御部１３からデジタル信号分割部４９に出力され、第４Ｄ／Ａ変換部４６でアナログの音声信号に変換された後、アナログ信号多重部５２を経て外部Ｉ／Ｆ部５３から信号線に送出されて通話相手機器のスピーカから出力される。
【００３７】
ここで、従来技術で説明したような火災感知器の発報の検出とロビーインターホンやドアホンなどからの呼出とが同時に発生する状況が起こった場合を想定する。この場合、信号処理演算部１０の出力制御部１３は、図３に示すように第１及び第３データ期間ＤＴ１，ＤＴ３に警報音（火災警報音）を出力するとともに第２及び第４データ期間ＤＴ２，ＤＴ４に呼出音（例えば、ロビーインターホンからの呼出音）を出力するから、警報音と呼出音が重畳することを防いで警報音を確実に聞かせることができる。なお、従来では主制御部１を構成するＣＰＵから音声ＩＣにコマンドを与えて呼出音並びに警報音を出力させる構成が採用されていたが、この従来構成ではＣＰＵで音声ＩＣの動作状態を監視することができず、呼出音と警報音との出力のタイミングをＣＰＵで制御しようとしても音声ＩＣの動作状態とＣＰＵからのコマンド送出とにタイムラグが生じて呼出音と警報音との重畳を回避することが困難であった。これに対して本実施形態では、信号処理演算部１０を構成するＤＳＰ内部の時間管理に基づいたソフトウェア処理によって呼出音及び警報音を出力するためにタイムラグがほぼゼロとなり、上述のように警報音と呼出音の重畳が確実に防止できる。
【００３８】
次に、本発明の要旨である音声信号減衰部５４並びに増設スピーカ部７０について説明する。
【００３９】
音声信号減衰部５４は、図４に示すように第２Ｄ／Ａ変換部４４とアナログ信号多重部５０を接続する信号ラインＬ１に挿入される入力抵抗Ｒ０と、信号ラインＬ１とグランドの間に設けられる第１の抵抗Ｒ１と、第１の抵抗Ｒ１に並列接続される第２の抵抗Ｒ２及び第１のスイッチ素子Ｓ１の直列回路と、同じく第１の抵抗Ｒ１に並列接続される第３の抵抗Ｒ３及び第２のスイッチ素子Ｓ２の直列回路とで構成される。第１及び第２のスイッチ素子Ｓ１，Ｓ２はＮＰＮ形のバイポーラトランジスタからなり、入力抵抗を介してベースに与えられる制御信号によってオン・オフされるものである。而して、第１及び第２のスイッチ素子Ｓ１，Ｓ２が何れもオフであれば第２及び第３の抵抗Ｒ２，Ｒ３が切り離され、音声信号減衰部５４の減衰量ＡＴＴ１［ｄＢ］は下式で表される。
【００４０】
ＡＴＴ１＝２０×ｌｏｇ｛Ｒ１／（Ｒ０＋Ｒ１）｝
また、第１のスイッチ素子Ｓ１がオン、第２のスイッチ素子Ｓ２がオフであれば第２の抵抗Ｒ２が第１の抵抗Ｒ１と並列に接続されるとともに第３の抵抗Ｒ３が切り離され、音声信号減衰部５４の減衰量ＡＴＴ２［ｄＢ］は下式で表される。
【００４１】
ＡＴＴ２＝２０×ｌｏｇ｛Ｒ’／（Ｒ０＋Ｒ’）｝
但し、１／Ｒ’＝１／Ｒ１＋１／Ｒ２
さらに、第１のスイッチ素子Ｓ１がオフ、第２のスイッチ素子Ｓ２がオンであれば第３の抵抗Ｒ３が第１の抵抗Ｒ１と並列に接続されるとともに第２の抵抗Ｒ２が切り離され、音声信号減衰部５４の減衰量ＡＴＴ３［ｄＢ］は下式で表される。
【００４２】
ＡＴＴ３＝２０×ｌｏｇ｛Ｒ”／（Ｒ０＋Ｒ”）｝
但し、１／Ｒ”＝１／Ｒ１＋１／Ｒ３
ここで、これら３種類の減衰量ＡＴＴ１，ＡＴＴ２，ＡＴＴ３の間にはＡＴＴ１＜ＡＴＴ２＜ＡＴＴ３の関係が成立し、本実施形態では減衰量ＡＴＴ１とＡＴＴ２との差が１２［ｄＢ］、ＡＴＴ１とＡＴＴ３との差が２４［ｄＢ］となるように入力抵抗Ｒ０並びに第１〜第３の抵抗Ｒ１〜Ｒ３の各抵抗値を設定している。したがって、音声信号減衰部５４が減衰量ＡＴＴ１に設定されているときに減衰量が最も小さくなって音量が最大となり、減衰量ＡＴＴ３に設定されているときに減衰量が最も大きくなって音量が最小となり、減衰量ＡＴＴ２に設定されているときに中間の値となって音量も中間レベルとなる。すなわち、制御信号により第１及び第２のスイッチ素子Ｓ１，Ｓ２をオン・オフ制御することによって音声信号減衰部５４の減衰量を３段階（ＡＴＴ１，ＡＴＴ２，ＡＴＴ３）に切り換え、スピーカ部４１から聞こえる通話音声や呼出音の音量を大・中・小の３段階に調整することができるものである。なお、警報音（火災警報音など）並びに警報のための音声メッセージ（火災警報用の音声メッセージなど）の音量については消防法による規定で所定レベル以上に設定する必要があるので、上述の音量調整は通話音声並びに呼出音の音量についてのみ可能となっている。
【００４３】
一方、増設スピーカ部７０は、図１に示すように第２Ｄ／Ａ変換部４４とアナログ信号多重部５０を接続する信号ラインＬ１から分岐された信号ラインＬ２に接続され、第２Ｄ／Ａ変換部４４から出力されるアナログの音声信号が音声信号減衰部５４を介さずに入力され、音声信号減衰部５４による音量調整の影響を受けないようになっている。すなわち、増設スピーカ部７０には第２Ｄ／Ａ変換部４４から出力されるアナログの音声信号が信号ラインＬ２を通してそのまま（あるいは信号ラインＬ２に挿入される図示しないアンプで増幅されて）入力されるため、音声信号減衰部５４による音量設定に関係なく、増設スピーカ部７０から聞こえる呼出音等の音量が常に一定となる。
【００４４】
ところで、上述のような通話音声や呼出音等の音量調整を行う方法としては、例えば使用者（住戸の住人）が手動で操作可能な操作部を設け、操作部を操作して設定される音量の設定値（大・中・小）を主制御部１に取り込み、取り込んだ設定値に応じて主制御部１が制御信号を出力して音声信号減衰部５４の減衰量を切換制御する方法と、主制御部１が取り込んだ設定値に対応する音量設定コマンドを信号処理演算部１０に出力し、この音量設定コマンドに応じて信号処理演算部１０が制御信号を出力して音声信号減衰部５４の減衰量を切換制御する方法とがある。
【００４５】
前者の方法では、主制御部１から信号処理演算部１０に対して音量設定コマンドを出力する必要が無く、主制御部１と信号処理演算部１０の間のデータ伝送に不具合が生じたときでも確実に音量調整を行うことができる。例えば、主制御部１がロビーインターホン又はドアホンからの呼出信号を受け取ると、図５（ｂ）に示すようにスピーカ部４１及び増設スピーカ部７０から呼出音を出力させるための呼出音出力コマンドＣ１を信号処理演算部１０に送信した後、同図（ｃ）に示すように音声信号減衰部５４に制御信号を出力して音量の設定を行う。そして、信号処理演算部１０は同図（ｄ）に示すように上記呼出音出力コマンドＣ１を受信すると、既に説明したように呼出音生成部１４から出力制御部１３を介して出力される呼出音の音声信号をスピーカ部４１及び増設スピーカ部７０に出力し（同図（ｅ）参照）、スピーカ部４１からは音声信号減衰部５４によって設定される音量で呼出音が出力される（同図（ａ）参照）。なお、火災感知器の発報を検出したときに主制御部１が表示手段（図示せず）を制御して何らかの表示を行うような場合においては、当該表示と音量調整とを同期させることができる。
【００４６】
一方、後者の方法では、信号処理演算部１０から通話信号や音声信号を出力するタイミングに同期してスピーカ部４１の音量を切り換えることができる。例えば、主制御部１がロビーインターホン又はドアホンからの呼出信号を受け取ると、図６（ｂ）に示すように信号処理演算部１０に対してスピーカ部４１及び増設スピーカ部７０から呼出音を出力させるための呼出音出力コマンドＣ１を送信した後に音声信号減衰部５４の減衰量（音量）を設定する音量設定コマンドＣ２を送信する。そして、信号処理演算部１０は同図（ｄ）に示すように上記呼出音出力コマンドＣ１を受信すると上述のように呼出音生成部１４から出力制御部１３を介して出力される呼出音の音声信号をスピーカ部４１及び増設スピーカ部７０に出力するとともに、同図（ｅ）に示すように音声信号減衰部５４に制御信号を出力して音量の設定を行うことにより、スピーカ部４１からは音声信号減衰部５４で設定される音量で呼出音が出力される（同図（ａ）参照）。このとき、呼出音の出力開始時点及び出力停止時点と音量の切換時点のタイミングを一致させることができ、呼出音の音量が途中で変動するというようなことが防止できる。すなわち、前者の方法では主制御部１による音量調整のタイミングと信号処理演算部１０による呼出音等の音声信号の出力のタイミングを一致させることが困難であり、後者の方法によれば、特に図６に示すように呼出音等の音声信号を連続して出力しなければならない場合や、呼出音と警報音を交互に出力しなければならない場合でも、信号処理演算部１０においては各音声信号の音量調整を個別に行うことが容易である。なお、後者の方法においても、例えば音声信号の内容（呼出音、警報音、音声メッセージ）に応じて予め設定される音量でその音声信号を出力するように信号処理演算部１０のプログラムを作成しておけば、主制御部１から音量設定コマンドＣ２を送信する必要が無くなり、主制御部１と信号処理演算部１０の間のデータ伝送に不具合が生じたときでも確実に音量調整を行うことができる。
【００４７】
（実施形態２）
図７は本実施形態の住宅情報盤における要部の構成を示したブロック図である。本実施形態が実施形態１と異なる点は、第２Ｄ／Ａ変換部４４とアナログ信号多重部５０を接続する信号ラインＬ１の音声信号減衰部５４を無くし、その代わりに第２Ｄ／Ａ変換部４４から増設スピーカ部７０に至る信号ラインＬ２に音量補正部５５を挿入した点に特徴がある。なお、これ以外の構成については実施形態１と共通であるから、共通の構成要素には同一の符号を付して説明を省略する。
【００４８】
音量補正部５５は、図８に示すようにアンプ５５ａ及びアンプ５５ａの入力側に設けられる減衰回路からなる。この減衰回路は、第２Ｄ／Ａ変換部４４とアンプ５５ａの間の信号ラインＬ２に挿入される入力抵抗Ｒａと、信号ラインＬ２とグランドの間に設けられる第１の抵抗Ｒｂと、第１の抵抗Ｒｂに並列接続される第２の抵抗Ｒｃ及び第１のスイッチ素子Ｓａの直列回路と、同じく第１の抵抗Ｒｂに並列接続される第３の抵抗Ｒｄ及び第２のスイッチ素子Ｓｂの直列回路とで構成される。第１及び第２のスイッチ素子Ｓａ，ＳｂはＮＰＮ形のバイポーラトランジスタからなり、入力抵抗を介してベースに与えられる制御信号によってオン・オフされるものである。而して、第１及び第２のスイッチ素子Ｓａ，Ｓｂが何れもオフであれば第２及び第３の抵抗Ｒｃ，Ｒｄが切り離され、減衰回路の減衰量ＡＴＴａ［ｄＢ］は下式で表される。
【００４９】
ＡＴＴａ＝２０×ｌｏｇ｛Ｒｂ／（Ｒａ＋Ｒｂ）｝
また、第１のスイッチ素子Ｓａがオン、第２のスイッチ素子Ｓｂがオフであれば第２の抵抗Ｒｃが第１の抵抗Ｒｂと並列に接続されるとともに第３の抵抗Ｒｄが切り離され、減衰回路の減衰量ＡＴＴｂ［ｄＢ］は下式で表される。
【００５０】
ＡＴＴｂ＝２０×ｌｏｇ｛Ｒ’／（Ｒａ＋Ｒ’）｝
但し、１／Ｒ’＝１／Ｒｂ＋１／Ｒｃ
さらに、第１のスイッチ素子Ｓａがオフ、第２のスイッチ素子Ｓｂがオンであれば第３の抵抗Ｒｄが第１の抵抗Ｒｂと並列に接続されるとともに第２の抵抗Ｒｃが切り離され、減衰回路の減衰量ＡＴＴｃ［ｄＢ］は下式で表される。
【００５１】
ＡＴＴｃ＝２０×ｌｏｇ｛Ｒ”／（Ｒａ＋Ｒ”）｝
但し、１／Ｒ”＝１／Ｒｂ＋１／Ｒｄ
ここで、これら３種類の減衰量ＡＴＴａ，ＡＴＴｂ，ＡＴＴｃの間にはＡＴＴａ＜ＡＴＴｂ＜ＡＴＴｃの関係が成立し、本実施形態では減衰量ＡＴＴａとＡＴＴｂとの差が１２［ｄＢ］、ＡＴＴａとＡＴＴｃとの差が２４［ｄＢ］となるように入力抵抗Ｒａ並びに第１〜第３の抵抗Ｒｂ〜Ｒｄの各抵抗値を設定している。したがって、減衰回路が減衰量ＡＴＴａに設定されているときに減衰量が最も小さくなり、アンプ５５ａの増幅度Ｇと合算した音量補正部５５の補正量（増幅度）が最も大きくなって音量が最大となる。また、減衰量ＡＴＴｃに設定されているときに減衰量が最も大きくなり、音量補正部５５の補正量が最も小さくなって音量が最小となる。さらに、減衰量ＡＴＴｂに設定されているときに中間の値となって補正量も中間の値となるから音量も中間レベルとなる。
【００５２】
一方、スピーカ部４１から聞こえる通話音声や呼出音等の音量調整は、信号処理演算部１０の出力制御部１３において行われる。すなわち、信号処理演算部１０では主制御部１から受信する音量設定コマンドに基づいた音量レベル、あるいは音声信号の内容（呼出音、警報音、音声メッセージ）に応じて予め設定される音量レベルでスピーカ部４１から出力されるように、デジタルの通話信号及び音声信号に音量の設定値を付加して出力制御部１３から出力している。そして、第１及び第２Ｄ／Ａ変換部４３，４４ではデジタルの通話信号及び音声信号をアナログの通話信号及び音声信号に変換する際に上記設定値に応じた増幅度で通話信号及び音声信号を増幅して出力するのである。その結果、スピーカ部４１からは信号処理演算部１０の音量設定値に応じた音量で通話音声や呼出音等が聞こえることになる。これに対して、制御信号により第１及び第２のスイッチ素子Ｓａ，Ｓｂをオン・オフ制御することによって、上記音量設定値に応じて音量補正部５５の補正量を３段階（Ｇ＋ＡＴＴａ，Ｇ＋ＡＴＴｂ，Ｇ＋ＡＴＴｃ）に切り換えれば、第２Ｄ／Ａ変換回路４４から出力される音声信号の音量レベルに関わらず、増設スピーカ部７０から聞こえる呼出音等の音量が常に一定となるように調整することができるものである。
【００５３】
ここで、上述のような音量補正部５５の補正量を制御する方法として、実施形態１と同様に、主制御部１が制御信号を出力して音量補正部５５の補正量を切換制御する方法と、信号処理演算部１０が制御信号を出力して音量補正部５５の補正量を切換制御する方法とがある。そして、前者の方法では、主制御部１と信号処理演算部１０の間のデータ伝送に不具合が生じたときでも確実に音量調整を行うことができるとともに、火災感知器の発報を検出したときに主制御部１が表示手段（図示せず）を制御して何らかの表示を行うような場合に当該表示と音量調整とを同期させることができる。また後者の方法では、信号処理演算部１０から通話信号や音声信号を出力するタイミングに同期して増設スピーカ部７０の音量を切り換えることができる。
【００５４】
ところで、一般に住宅情報盤は実施形態１又は実施形態２で説明したような処理を常時行っているわけではなく、何らかのイベント（ロビーインターホン又はドアホンからの呼出やセキュリティセンサからの検出出力など）が発生したときに各種の処理を開始するものである。そこで、上記イベントの発生を監視する部分、すなわち主制御部１のみを常時動作状態とし、その他の信号処理演算部１０、メモリ部３０並びに入出力ブロックＢをスタンバイ状態又は電源オフ状態としておき、イベント発生時に主制御部１が信号処理演算部１０、メモリ部３０並びに入出力ブロックＢをスタンバイ状態又は電源オフ状態から通常の動作状態へ移行させるようにしても良い。このようにすれば、信号処理演算部１０、メモリ部３０及び入出力ブロックＢでは実際に処理を行うときだけ通常の動作状態となり、処理を行わないときにはスタンバイ状態又は電源オフ状態となって消費電流を低減することができる。なお、信号処理演算部１０、メモリ部３０及び入出力ブロックＢをスタンバイ状態又は電源オフ状態とするには、これらに電源を供給する電源回路を主制御部１で制御する方法等が考えられるが、このような方法については従来周知であるから詳細な説明は省略する。
【００５５】
【発明の効果】
請求項１の発明は、集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、マイク部及びスピーカ部と、マイク部で集音されたアナログの通話信号をデジタルの通話信号に変換して信号処理演算部に入力する第１のＡ／Ｄ変換手段と、信号処理演算部から出力されるデジタルの通話信号をアナログの通話信号に変換してスピーカ部に出力する第１のＤ／Ａ変換手段と、信号処理演算部から出力されるデジタルの音声信号をアナログの音声信号に変換してスピーカ部に出力する第２のＤ／Ａ変換手段と、信号処理演算部から出力されるデジタルの通話信号をアナログの通話信号に変換してロビーインターホン又はドアホンに出力する第３のＤ／Ａ変換手段と、ロビーインターホン又はドアホンからのアナログの通話信号をデジタルの通話信号に変換して信号処理演算部に入力する第２のＡ／Ｄ変換手段と、第２のＤ／Ａ変換手段でアナログに変換された音声信号を住戸内の異なる場所に設置される増設スピーカ部に対して一定の音量で出力する増設スピーカ接続手段と、第１のＤ／Ａ変換手段から出力されるアナログの通話信号と第２のＤ／Ａ変換手段から出力されるアナログの音声信号を多重化してスピーカ部に出力するアナログ信号多重手段と、第２のＤ／Ａ変換手段からアナログ信号多重手段に出力されるアナログの音声信号を複数段階に設定される所定音量となるように減衰させる音声信号減衰手段とを備え、増設スピーカ接続手段は、第２のＤ／Ａ変換手段から出力されるアナログの音声信号を音声信号減衰手段を介さずに増設スピーカ部に出力するので、呼出音や警報音などの音声信号は増設スピーカ接続手段により一定の音量で増設スピーカ部に出力されるために増設スピーカ部から聞こえる呼出音等の音量が常に一定となる。しかも、住宅情報盤のスピーカ部から聞こえる呼出音等の音量が音声信号減衰手段によって複数段階に調整できるとともに、スピーカ部の音量を下げた場合でも増設スピーカ部からは常に一定の音量で呼出音等が聞こえる。
【００５７】
請求項２の発明は、請求項１の発明において、音声信号減衰手段における減衰量を信号処理演算部で調整するので、スピーカ部から聞こえる呼出音等の音量の調整を信号処理演算部で行うことにより、呼出音等がスピーカ部から聞こえるタイミングと音量調整のタイミングを一致させることができる。
【００５８】
請求項３の発明は、請求項１の発明において、音声信号減衰手段における減衰量を主制御部で調整するので、スピーカ部から聞こえる呼出音等の音量の調整を主制御部で行うことにより、信号処理演算部を介して音量の調整を行う場合に比較して、主制御部と信号処理演算部の間のデータ伝送に不具合が生じたときでも確実に音量を調整することができる。
【００５９】
請求項４の発明は、集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、マイク部及びスピーカ部と、マイク部で集音されたアナログの通話信号をデジタルの通話信号に変換して信号処理演算部に入力する第１のＡ／Ｄ変換手段と、信号処理演算部から出力されるデジタルの通話信号をアナログの通話信号に変換してスピーカ部に出力する第１のＤ／Ａ変換手段と、信号処理演算部から出力されるデジタルの音声信号をアナログの音声信号に変換してスピーカ部に出力する第２のＤ／Ａ変換手段と、信号処理演算部から出力されるデジタルの通話信号をアナログの通話信号に変換してロビーインターホン又はドアホンに出力する第３のＤ／Ａ変換手段と、ロビーインターホン又はドアホンからのアナログの通話信号をデジタルの通話信号に変換して信号処理演算部に入力する第２のＡ／Ｄ変換手段と、第２のＤ／Ａ変換手段でアナログに変換された音声信号を住戸内の異なる場所に設置される増設スピーカ部に対して一定の音量で出力する増設スピーカ接続手段と、第１のＤ／Ａ変換手段から出力されるアナログの通話信号と第２のＤ／Ａ変換手段から出力されるアナログの音声信号を多重化してスピーカ部に出力するアナログ信号多重手段とを備え、増設スピーカ接続手段は、第２のＤ／Ａ変換手段から出力されるアナログの音声信号を音量補正して増設スピーカ部に出力する音量補正部を有し、信号処理演算部は、デジタルの通話信号並びに呼出音や警報音あるいは音声メッセージからなるデジタルの音声信号をそれぞれの信号の種類に応じた所定の音量で出力するとともに音量補正部における補正量を制御する出力制御部を具備するので、呼出音や警報音などの音声信号は増設スピーカ接続手段により一定の音量で増設スピーカ部に出力されるため、増設スピーカ部から聞こえる呼出音等の音量が常に一定となる。また、住宅情報盤のスピーカ部から聞こえる呼出音等の音量が出力制御部によって所定の音量に調整できるとともに、音量補正部の補正量を調整することで増設スピーカ部からは常に一定の音量で呼出音等が聞こえる。また、音量補正部の補正量を信号処理演算部が具備する出力制御部で制御すれば、呼出音等がスピーカ部から聞こえるタイミングと音量調整のタイミングを一致させることができる。
【００６０】
請求項５の発明は、集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、マイク部及びスピーカ部と、マイク部で集音されたアナログの通話信号をデジタルの通話信号に変換して信号処理演算部に入力する第１のＡ／Ｄ変換手段と、信号処理演算部から出力されるデジタルの通話信号をアナログの通話信号に変換してスピーカ部に出力する第１のＤ／Ａ変換手段と、信号処理演算部から出力されるデジタルの音声信号をアナログの音声信号に変換してスピーカ部に出力する第２のＤ／Ａ変換手段と、信号処理演算部から出力されるデジタルの通話信号をアナログの通話信号に変換してロビーインターホン又はドアホンに出力する第３のＤ／Ａ変換手段と、ロビーインターホン又はドアホンからのアナログの通話信号をデジタルの通話信号に変換して信号処理演算部に入力する第２のＡ／Ｄ変換手段と、第２のＤ／Ａ変換手段でアナログに変換された音声信号を住戸内の異なる場所に設置される増設スピーカ部に対して一定の音量で出力する増設スピーカ接続手段と、第１のＤ／Ａ変換手段から出力されるアナログの通話信号と第２のＤ／Ａ変換手段から出力されるアナログの音声信号を多重化してスピーカ部に出力するアナログ信号多重手段とを備え、増設スピーカ接続手段は、第２のＤ／Ａ変換手段から出力されるアナログの音声信号を音量補正して増設スピーカ部に出力する音量補正部を有し、信号処理演算部は、デジタルの通話信号並びに呼出音や警報音あるいは音声メッセージからなるデジタルの音声信号をそれぞれの信号の種類に応じた所定の音量で出力する出力制御部を具備し、音量補正部における補正量を主制御部で制御するので、呼出音や警報音などの音声信号は増設スピーカ接続手段により一定の音量で増設スピーカ部に出力されるため、増設スピーカ部から聞こえる呼出音等の音量が常に一定となる。また、住宅情報盤のスピーカ部から聞こえる呼出音等の音量は出力制御部によって所定の音量に調整でき、音量補正部の補正量を主制御部で調整することによって増設スピーカ部からは常に一定の音量で呼出音等が聞こえる。また、音量補正部の補正量を主制御部で制御すれば、信号処理演算部を介して音量補正を行う場合に比較して、主制御部と信号処理演算部の間のデータ伝送に不具合が生じたときでも確実に音量を補正することができる。
【００６１】
請求項６の発明は、集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、マイク部及びスピーカ部と、マイク部で集音されたアナログの通話信号をデジタルの通話信号に変換して信号処理演算部に入力する第１のＡ／Ｄ変換手段と、信号処理演算部から出力されるデジタルの通話信号をアナログの通話信号に変換してスピーカ部に出力する第１のＤ／Ａ変換手段と、信号処理演算部から出力されるデジタルの音声信号をアナログの音声信号に変換してスピーカ部に出力する第２のＤ／Ａ変換手段と、信号処理演算部から出力されるデジタルの通話信号をアナログの通話信号に変換してロビーインターホン又はドアホンに出力する第３のＤ／Ａ変換手段と、ロビーインターホン又はドアホンからのアナログの通話信号をデジタルの通話信号に変換して信号処理演算部に入力する第２のＡ／Ｄ変換手段と、第２のＤ／Ａ変換手段でアナログに変換された音声信号を住戸内の異なる場所に設置される増設スピーカ部に対して一定の音量で出力する増設スピーカ接続手段とを備え、主制御部は、セキュリティセンサの出力検知並びにロビーインターホン又はドアホンからの呼出が無いときに信号処理演算部、第１乃至第３のＤ／Ａ変換手段並びに第１及び第２のＡ／Ｄ変換手段をスタンバイ状態又は電源オフ状態とし、セキュリティセンサの出力を検知したとき又はロビーインターホンあるいはドアホンからの呼出があったときに信号処理演算部、第１乃至第３のＤ／Ａ変換手段並びに第１及び第２のＡ／Ｄ変換手段をスタンバイ状態又は電源オフ状態から通常の動作状態へ移行させるので、呼出音や警報音などの音声信号は増設スピーカ接続手段により一定の音量で増設スピーカ部に出力されるため、増設スピーカ部から聞こえる呼出音等の音量が常に一定となる。また、セキュリティセンサの出力検知並びにロビーインターホン又はドアホンからの呼出が無いときに信号処理演算部、第１乃至第３のＤ／Ａ変換手段並びに第１及び第２のＡ／Ｄ変換手段をスタンバイ状態又は電源オフ状態とすることで消費電流の低減が図れる。
【図面の簡単な説明】
【図１】実施形態１の要部の構成を示したブロック図である。
【図２】同上の動作説明図である。
【図３】同上の動作説明図である。
【図４】同上における音声信号減衰部の回路図である。
【図５】同上における音量調整を主制御部で行う場合の動作説明図である。
【図６】同上における音量調整を信号処理演算部１０で行う場合の動作説明図である。
【図７】実施形態２の要部の構成を示したブロック図である。
【図８】同上における音量補正部の回路図である。
【図９】従来の住宅情報盤システムの一例を示すシステム構成図である。
【符号の説明】
１  主制御部
１０  信号処理演算部
１１  通話制御部
１２  入力制御部
１３  出力制御部
１４  呼出音生成部
１５  警報音生成部
４１  スピーカ部
５４  音声信号減衰部
７０  増設スピーカ部
【図１】
0003894036.tif 000002
【図２】
0003894036.tif 000003
【図３】
0003894036.tif 000004
【図４】
0003894036.tif 000005
【図５】
0003894036.tif 000006
【図６】
0003894036.tif 000007
【図７】
0003894036.tif 000008
【図８】
0003894036.tif 000009
【図９】
0003894036.tif 000010